(57)【要約】【課題】火災感知器のあぶり点検の結果を記録し、未点検の火災感知器を確認したときにはその旨を報知することができる火災受信機を提供する。【解決手段】信号線ＳＧを介して接続された複数の火災感知器のアドレスが設定されたデータベースを有する記憶部ＦＡ２と、あぶり点検により発報した火災感知器を自動復旧させるための自動復旧モードに設定する自動復旧設定部ＦＡ１１と、自動復旧モード中に、あぶり点検で発報した火災感知器のアドレスを記録する点検結果記録部ＦＡ１２と、自動復旧モードが解除されたときに、点検結果記録部ＦＡ１２により記録されたアドレスとデータベースに設定された火災感知器のアドレスとを照合し、未点検の火災感知器を確認したときには未点検の火災感知器の存在を表示操作部ＦＡ４に表示して報知する点検結果判別部ＦＡ１３とを備えている。【選択図】図２
2014016679.tif 000002
【特許請求の範囲】
【請求項１】
信号線を介して接続された複数の火災感知器のアドレスが設定されたデータベースを有する記憶部と、
あぶり点検により発報した火災感知器を自動復旧させるための自動復旧モードに設定する自動復旧設定部と、
自動復旧モード中に、あぶり点検で発報した火災感知器のアドレスを記録する点検結果記録部と、
自動復旧モードが解除されたときに、前記点検結果記録部により記録されたアドレスと前記データベースに設定された火災感知器のアドレスとを照合し、未点検の火災感知器を確認したときには未点検の火災感知器の存在を報知する点検結果判別部と
を備えたことを特徴とする火災受信機。
【請求項２】
前記自動復旧設定部は、あぶり点検を行う火災感知器が指定されたときに範囲指定の自動復旧モードに設定し、
前記点検結果記録部は、範囲指定による自動復旧モード中に、指定された火災感知器があぶり点検により発報したときに当該火災感知器のアドレスを記録し、
前記点検結果判別部は、自動復旧モードが解除されたときに、前記点検結果記録部により記録されたアドレスと前記範囲指定内の前記データベースに設定された火災感知器のアドレスとを照合し、未点検の火災感知器を確認したときには未点検の火災感知器の存在を報知することを特徴とする請求項１記載の火災受信機。
【請求項３】
前記点検結果記録部は、あぶり点検で発報した火災感知器のアドレスを記録する際に、アドレスに関連付けて火災感知器の発報レベルを記録し、
前記点検結果判別部は、火災感知器の発報レベルが予め設定された閾値に達しなかったときに、当該火災感知器を未点検として報知することを特徴とする請求項１又は２記載の火災受信機。
【請求項４】
未点検の火災感知器が存在するとき、未点検の火災感知器のアドレスを記録する未点検記録部を備え、
前記点検結果判別部は、自動復旧モードが設定されたときに、前記未点検記録部に未点検の火災感知器のアドレスが記録されているかどうかを検索し、未点検の火災感知器のアドレスが存在するときにはその旨を報知することを特徴とする請求項１乃至３の何れか一項に記載の火災受信機。
【請求項５】
前記自動復旧設定部は、前記未点検記録部により未点検のアドレスが記録されているときに、そのアドレスの火災感知器のみがあぶり点検後に自動復旧するように自動復旧モードに設定することを特徴とする請求項４記載の火災受信機。
【請求項６】
前記自動復旧設定部は、全ての未点検の火災感知器が発報すると自動復旧モードを解除することを特徴とする請求項５記載の火災受信機。
【発明の詳細な説明】
【技術分野】
【０００１】
本発明は、火災報知設備に用いられる火災受信機に係わり、さらに詳しくは、火災感知器のあぶり点検の結果を記録する機能を有する火災受信機に関するものである。
【背景技術】
【０００２】
火災報知システムでは、火災感知器のあぶり点検を行うことが義務づけられている。従来、火災感知器のあぶり点検を一人で行うことができるように、発報した火災感知器を所定時間経過後に自動復旧させる機能を備えた火災受信機が知られている（例えば、特許文献１参照）。
点検者は、点検前に火災受信機を自動復旧モードに設定し、火災感知器が設置されている場所に行き、点検器具を用いて火災感知器に煙や熱を加えて火災感知器を発報させる（以下、あぶり点検という）。火災感知器が発報してから所定時間経過後に、火災受信機は、発報した火災感知器を復旧させる。
点検者は、火災感知器が発報している間に火災感知器に設けられている火災確認灯の点灯や地区ベルの鳴動により火災感知器が正常に火災を検知したことを確認して、点検結果を設備図やチェックシートに記録する。これを繰り返して火災感知器の点検を行い、点検終了後に火災受信機に設定されている自動復旧モードを解除する。
【先行技術文献】
【特許文献】
【０００３】
【特許文献１】特開平０９−２３７３９１号公報（図１−図５）
【発明の概要】
【発明が解決しようとする課題】
【０００４】
しかしながら、前述したあぶり点検の方法では、未点検の火災感知器があったとしても、記録した点検結果を確認しなければわからず、また、人為ミスで点検結果を誤って記録する虞があるという課題があった。
【０００５】
本発明は、前述のような課題を解決するためになされたもので、火災感知器のあぶり点検の結果を記録し、未点検の火災感知器を確認したときにはその旨を報知することができる火災受信機を提供することを目的とする。
【課題を解決するための手段】
【０００６】
本発明に係る火災受信機は、信号線を介して接続された複数の火災感知器のアドレスが設定されたデータベースを有する記憶部と、あぶり点検により発報した火災感知器を自動復旧させるための自動復旧モードに設定する自動復旧設定部と、自動復旧モード中に、あぶり点検で発報した火災感知器のアドレスを記録する点検結果記録部と、自動復旧モードが解除されたときに、点検結果記録部により記録されたアドレスとデータベースに設定された火災感知器のアドレスとを照合し、未点検の火災感知器を確認したときには未点検の火災感知器の存在を報知する点検結果判別部とを備えたものである。
【発明の効果】
【０００７】
本発明によれば、あぶり点検した火災感知器のアドレスを記録し、自動復旧モードが解除されたときに、点検結果記録部により記録されたアドレスとデータベースに設定された火災感知器のアドレスとを照合し、未点検の火災感知器を確認したときには未点検の火災感知器の存在を報知するようにしているので、点検結果を設備図やチェックシートを用いて記録する従来と比べ、作業が容易で、正確な点検結果を得ることができ、点検漏れを防止することが可能になる。
【図面の簡単な説明】
【０００８】
【図１】実施の形態１に係る火災受信機を含む火災報知設備のシステムを示す全体構成図。
【図２】実施の形態１に係る火災受信機の構成を示すブロック図。
【図３】あぶり点検の範囲指定による自動復旧モードの設定方法を示す画面図。
【図４】あぶり点検の結果を示す画面図。
【図５】実施の形態２に係る火災受信機の構成を示すブロック図。
【発明を実施するための形態】
【０００９】
実施の形態１．
図１は実施の形態１に係る火災受信機を含む火災報知設備のシステムを示す全体構成図、図２は実施の形態１に係る火災受信機の構成を示すブロック図、図３はあぶり点検の範囲指定による自動復旧モードの設定方法を示す画面図、図４はあぶり点検の結果を示す画面図である。
【００１０】
火災受信機ＦＡには、図１に示すように、電源兼信号線ＳＧ（以下、「信号線ＳＧ」と呼ぶ）を介して、光電式アナログ感知器ＳＥ１１、熱アナログ感知器ＳＥ１２、アドレッサブル発信機ＳＥ１３、地区ベル用中継器Ｂ１１、防排煙制御用中継器Ｄ１１などの各端末機器が系統毎に接続されている。各端末機器には、アドレスが付与されていて、火災受信機ＦＡと各端末機器はアドレスに基づき通信を行っている。なお、図１では、系統を３つとしているが、これに限定されるものではない。また、図１では、系統１の信号線ＳＧに光電式アナログ感知器ＳＥ１１、熱アナログ感知器ＳＥ１２及びアドレッサブル発信機ＳＥ１３を１個ずつ示しているが、それぞれ複数個接続されているものとする。
【００１１】
光電式アナログ感知器ＳＥ１１は、検出した煙の濃度に応じたアナログ値を信号により火災受信機ＦＡに送信する。熱アナログ感知器ＳＥ１２は、検出した周囲温度に基づくアナログ値を信号により火災受信機ＦＡに送信する。アドレッサブル発信機ＳＥ１３は、火災の発見者が手動操作する押しボタンを備え、押しボタンがオンされたときに火災信号を火災受信機ＦＡに送信する。
【００１２】
地区ベル用中継器Ｂ１１には、例えば４個の地区ベルＢ１１１、Ｂ１１２、Ｂ１１３、Ｂ１１４が被制御機器として接続されている。防排煙制御用中継器Ｄ１１には、防排煙機器としての防火戸Ｄ１１１、排煙機Ｄ１１２、シャッタＤ１１３、及びたれ壁Ｄ１１４が被制御機器として接続されている。なお、図１では、地区ベル用中継器Ｂ１１に４個の地区ベルＢ１１１〜Ｂ１１４が、防排煙制御用中継器Ｄ１１に４種類の被制御機器が１台ずつ接続されているが、これに限定されるものではない。
【００１３】
火災受信機ＦＡと端末機器は、信号線ＳＧの電圧を変動させ、ハイレベル電圧とローレベル電圧の組み合わせのパルス信号で通信を行っている。
【００１４】
次に、火災受信機ＦＡの構成について、図２を用いて説明する。
火災受信機ＦＡは、制御部ＦＡ１と、端末機器の管理に必要なデータベースが格納された記憶部ＦＡ２と、伝送部ＦＡ３と、表示操作部ＦＡ４とを備えている。
【００１５】
系統毎の伝送部ＦＡ３は、端末機器のアドレス等が予め設定された記憶部ＦＡ２のデータベースに従って、各端末機器に状態情報要求命令を送信し、状態情報要求命令の送信により各端末機器からの状態情報が受信されたときには、状態情報に火災情報が含まれているかどうかを判別し、その判別結果を保持する。この動作は、予め設定された時間毎に繰り返し行われている。この伝送部ＦＡ３は、制御部ＦＡ１からの問い合わせ信号が入力されたときに、保持した状態情報の判別結果を制御部ＦＡ１に通知する。
【００１６】
なお、本実施の形態１および後述の実施の形態２において、系統１に接続される端末機器には、００１から１００のアドレスをそれぞれ付与して、系統２に接続される端末機器には、１０１から２００のアドレスをそれぞれ付与するというように火災受信機ＦＡに接続される端末機器に重複しないアドレスを付与して管理している。しかしながら、それに限定するものではなく、各系統毎に端末機器に００１から１００のアドレスをそれぞれ付与して、系統番号とアドレスを組み合わせて管理するようにしても良い。つまり、端末機器のそれぞれが識別できるようにすれば良い。
【００１７】
制御部ＦＡ１は、伝送部ＦＡ３に火災情報の有無の問い合わせ信号を送信し、その問い合わせ信号の送信により火災情報を受けたときには、記憶部ＦＡ２に格納されたデータベースに従って、火災情報を発した火災感知器と関連づけられた被制御機器を検索し、かつ検索した被制御機器を動作させる制御信号を伝送部ＦＡ３を介して送信する。
【００１８】
また、制御部ＦＡ１は、動作の説明のときに詳述するが、火災受信機ＦＡを発報した火災感知器を自動復旧させるための自動復旧モードに設定する自動復旧設定部ＦＡ１１と、自動復旧モード中に発報した火災感知器の火災情報からアドレスを抽出して記録する点検結果記録部ＦＡ１２と、自動復旧モードが解除されたときに、点検結果記録部ＦＡ１２により記録されたアドレスとデータベースに設定されている火災感知器のアドレスとを照合し、未点検の火災感知器を確認したときには、未点検の火災感知器のアドレスを表示操作部ＦＡ４に表示して報知する点検結果判別部ＦＡ１３とを備えている。
【００１９】
表示操作部ＦＡ４は、各端末機器が感知した火災に関する情報や各端末機器の状態等を表示する画面を有する表示部と、火災受信機ＦＡや各端末機器に対する操作を行うためのタッチパネルを有する操作部とで構成されている。
【００２０】
次に、前記のように構成された火災受信機ＦＡにおいて、あぶり点検時の動作について、図１乃至図４を用いて説明する。
図３はあぶり点検対象の火災感知器を指定した場合の範囲指定の自動復旧モードの設定方法を示す画面図、図４はあぶり点検の結果を示す画面図である。
【００２１】
自動復旧設定部ＦＡ１１は、表示操作部ＦＡ４に表示されている自動復旧のボタンＦＡ４１がオン操作されると（図２参照）、図３（ａ）に示す自動復旧設定用の画面を表示操作部ＦＡ４に表示する。
【００２２】
自動復旧設定部ＦＡ１１は、点検者によりテンキーでＳｔａｒｔとＳｔｏｐのアドレスが入力され、「ＥＮＴＥＲ」キーがオン操作されたときには、範囲指定とする自動復旧モードに火災受信機ＦＡを設定し、図３（ｂ）に示す画面を表示する。なお、これは一例であって、図中に示す「００１」−「２５５」は、あぶり点検対象の火災感知器のアドレスである。また、自動復旧設定部１１は、図３（ａ）の画面において、テンキーが操作されることなく、「ＥＮＴＥＲ」キーがオン操作されたときには、全範囲（図２の場合は３系統）とする自動復旧モードに火災受信機ＦＡを設定し、画面上に「ＡＬＬ」を表示する（図示せず）。
【００２３】
火災受信機ＦＡが自動復旧モードに設定されると、点検結果記録部ＦＡ１２は、あぶり点検で発報した火災感知器からの火災情報を伝送部ＦＡ３を介して読み込んでアドレスを抽出し、記憶部ＦＡ２の所定エリアに点検済の火災感知器としてアドレスを記録していく。制御部ＦＡ１は、アドレスを抽出した火災感知器が発報してから所定時間経過後に、その発報した火災感知器に対し自動復旧させる制御信号を伝送部ＦＡ３を介して送信する。
【００２４】
自動復旧設定部ＦＡ１１は、前述した動作を繰り返し行っているときに、図３に示す画面上の「ＥＮＤ」キーのオン操作を検知したときには、自動復旧モードを解除して、点検結果判別部ＦＡ１３により、記憶部ＦＡ２の所定エリアに記録した点検済の火災感知器のアドレスとデータベースに設定されている火災感知器のアドレスとを照合する。点検結果判別部ＦＡ１３は、全範囲の火災感知器のアドレスの全てが一致した場合、また、範囲指定の火災感知器のアドレスの全てが一致した場合は、点検漏れがなかったとして、図４（ａ）に示すような画面を表示する。また、点検結果判別部ＦＡ１３は、データベースに設定されている火災感知器のアドレスと同じアドレスが点検済の火災感知器のアドレスに含まれてなかった場合には、未点検の火災感知器が存在するとして、図４（ｂ）に示すように、その火災感知器の種別及びアドレスを画面に表示して報知する。
【００２５】
また、制御部ＦＡ１は、図４（ｂ）に示すような画面を表示した際に、あぶり点検を途中で終了していた場合、図示していないが、自動復旧モードを終了させるかの確認画面を表示する。
【００２６】
以上のように実施の形態１によれば、未点検の火災感知器の種別及びアドレスを画面に表示するようにしているので、点検結果を設備図やチェックシートを用いて記録する従来と比べ、作業が容易で、正確な点検結果を得ることができ、点検漏れを防止することが可能になる。また、点検の範囲を指定することで、点検の範囲外は通常の警報監視状態にできるため、火災を自動復旧してしまう未警戒区域を少なくできる。
【００２７】
なお、実施の形態１では、範囲指定としてアドレス００１からアドレス２５５としたが、これに限定されるものではない。
【００２８】
また、実施の形態１では、あぶり点検で発報した火災感知器のアドレスを記録するようにしたが、火災を警報するのみの火災レベル、被制御機器を連動させる連動レベルのように火災状態を複数の火災段階に分けている場合には、アドレスに関連付けて火災感知器の発報レベルを記憶部ＦＡ２の所定エリアに記録するようにしても良い。この場合の未点検の火災感知器が存在するかどうかの判定は、以下のようにする。
【００２９】
先ず、記憶部ＦＡ２に記録した点検済の火災感知器のアドレスとデータベースに設定されている火災感知器のアドレスとを照合し、同じアドレスが存在するときには、記憶部ＦＡ２に記録したアドレスに関連づけられた火災感知器の発報レベルが予め設定された閾値に達しているかどうかを判定する。発報レベルが予め設定された閾値に達していなかったときには、自動復旧モードの解除時に、その火災感知器を未点検として表示操作部ＦＡ４に表示して報知する。この判定動作は、制御部ＦＡ１によって行われる。
【００３０】
前述の閾値は、火災感知器が発報する連動レベルと略同じ値に設定されている。連動レベルは、火災感知器が８０℃以上の周囲温度を感知したときに発報する最高レベルで、火災感知器と関連づけられた被制御機器を連動させるレベルである。
以上のように、あぶり点検で発報した火災感知器の発報レベルが連動レベルに満たないときには、未点検の火災感知器として報知するので、劣化している火災感知器を容易に判別することができる。
【００３１】
実施の形態２．
図５は実施の形態２に係る火災受信機の構成を示すブロック図である。なお、図１と同様あるいは相当の部分には同じ符号を付している。
実施の形態２における制御部ＦＡ１は、記憶部ＦＡ２の所定エリアに記録した点検済の火災感知器のアドレスとデータベースに設定されている火災感知器のアドレスとを照合した際に、未点検の火災感知器のアドレスを確認したときには、未点検の火災感知器のアドレスを記憶部ＦＡ２に記録する未点検記録部ＦＡ１４を備えている。また、この制御部ＦＡ１は、図２に示す実施の形態１における自動復旧設定部ＦＡ１１の機能に加えて、未点検のアドレスが記録されているときに、そのアドレスの火災感知器のみがあぶり点検後に自動復旧するように自動復旧モードに設定し、全ての未点検の火災感知器が発報したときに自動復旧モードを解除する機能を備えている。
【００３２】
この制御部ＦＡ１は、前述の未点検の火災感知器のアドレスを記録した後に、再び、範囲指定あるいは全範囲の自動復旧モードを表示操作部ＦＡ４の操作に基づいて設定した場合、未点検のアドレスが記憶部ＦＡ２の所定エリアに記録されているかどうかを検索し、未点検のアドレスが存在するときには、その火災感知器の種別及びアドレスを表示操作部ＦＡ４に表示して報知する。そして、制御部ＦＡ１は、そのアドレスの火災感知器のみがあぶり点検後に自動復旧するように自動復旧モードに設定し、全ての未点検の火災感知器が発報したときには自動復旧モードを解除する。
【００３３】
以上のように実施の形態２においては、未点検のアドレスが記憶部ＦＡ２の所定エリアに記録されていた場合、その火災感知器の種別及びアドレスを表示操作部ＦＡ４に表示し、そして、そのアドレスの火災感知器のみがあぶり点検後に自動復旧するように自動復旧モードに設定し、全ての未点検の火災感知器が発報したときには自動復旧モードを解除するようにしている。これにより、前回のあぶり点検時に未点検の火災感知器の存在を容易に把握することができ、しかも、未点検の火災感知器のアドレスが分かるので、未点検の火災感知器のみをあぶり点検するだけで済み、大幅に作業時間を短縮することが可能になる。
【００３４】
なお、上記のように、全ての未点検の火災感知器が発報したときに自動復旧モードを解除するのではなく、全ての未点検の火災感知器が発報したときに、未点検の火災感知器のみの自動復旧モードから表示操作部ＦＡ４の操作に基づいて範囲指定あるいは全範囲指定の自動復旧モードに移行するようにすれば、前回点検漏れの火災感知器を点検してから点検を継続して行うことができる。
【符号の説明】
【００３５】
ＦＡ  火災受信機、ＦＡ１  制御部、ＦＡ１１  自動復旧設定部、ＦＡ１２  点検結果記録部、ＦＡ１３  点検結果判別部、ＦＡ１４  未点検記録部、ＦＡ２  記憶部、ＦＡ３  伝送部、ＦＡ４  表示操作部、ＦＡ４１  「自動復旧」ボタン、ＳＧ  信号線、ＳＥ１１  光電式アナログ感知器、ＳＥ１２  熱アナログ感知器、ＳＥ１３  アドレッサブル発信機、Ｂ１１  地区ベル用中継器、Ｂ１１１〜Ｂ１１４  地区ベル、Ｄ１１  防排煙制御用中継器、Ｄ１１１  防火戸、Ｄ１１２  排煙機、Ｄ１１３  シャッタ、Ｄ１１４  たれ壁。
【図１】
2014016679.tif 000003
【図２】
2014016679.tif 000004
【図３】
2014016679.tif 000005
【図４】
2014016679.tif 000006
【図５】
2014016679.tif 000007